(57)【特許請求の範囲】
【請求項１】
リング形状の内周面に第１磁石を設けた第１リング状装飾部材と、
前記第１リング状装飾部材の内側に収納可能であって、リング形状の外周面の前記第１磁石と対応する位置に第２磁石を設け、前記第１リング状装飾部材と回転自在に連結された第２リング状装飾部材と、
前記第２リング状装飾部材の内側に収納可能であって、前記第２リング状装飾部材と揺動自在に連結された主装飾部材からなる装身具であって、
展開形態においては前記第１リング状装飾部材と前記主装飾部材とが前記第２リング状装飾部材を挟んで並ぶ位置となるようにしてあり、
収納形態においては前記第１磁石と前記第２磁石とが磁気吸引力により引き合うことで前記第２リング状装飾部材が前記第１リング状装飾部材の内側に収納された状態で保持されるとともに、前記主装飾部材が前記第２リング状装飾部材の内側に収納された状態で保持されるようにしたことを特徴とするワンタッチ式可変装身具。
【請求項２】
前記第１リング状装飾部材はリング形状の下部に第１回転軸を設け、前記第２リング状装飾部材はリング形状の上端に前記第１回転軸に回転自在に取り付けられる第１吊環を設けるとともにリング形状の下部に第２回転軸を設け、前記主装飾部材は上端に前記第２回転軸に揺動自在に取り付けられる第２吊環を設けてあることを特徴とする請求項１に記載のワンタッチ式可変装身具。
【請求項３】
外周面に第１磁石を設けた主装飾部材と、
前記主装飾部材をリング形状の内側に収納可能であって、該リング形状の内周面の前記第１磁石と対応する位置に第２磁石を設け、前記主装飾部材と揺動自在に連結された第２リング状装飾部材と、
前記第２リング状装飾部材をリング形状の内側に収納可能であって、前記第２リング状装飾部材と回転自在に連結された第１リング状装飾部材からなる装身具であって、
展開形態においては前記第１リング状装飾部材と前記主装飾部材とが前記第２リング状装飾部材を挟んで並ぶ位置となるようにしてあり、
収納形態においては前記第１磁石と前記第２磁石とが磁気吸引力により引き合うことで前記主装飾部材が前記第２リング状装飾部材の内側に収納された状態で保持されるとともに、前記第２リング状装飾部材が前記第１リング状装飾部材の内側に収納された状態で保持されるようにしたことを特徴とするワンタッチ式可変装身具。
【請求項４】
前記主装飾部材は下端に第２吊環を設け、前記第２リング状装飾部材はリング形状の上部に前記第２吊環が揺動自在に取り付けられる第２回転軸を設けるとともにリング形状の下端に第１吊環を設け、前記第１リング状装飾部材はリング形状の上部に前記第１吊環が回転自在に取り付けられる第１回転軸を設けてあることを特徴とする請求項３に記載のワンタッチ式可変装身具。
【請求項５】
前記第１磁石が１個または複数の磁石からなり、前記第２磁石が前記第１磁石と対応する位置において前記第１磁石と同数の磁石からなるようにしたことを特徴とする請求項１ないし４のいずれかに記載のワンタッチ式可変装身具。
【請求項６】
前記収納形態において、前記第１磁石と前記第２磁石とが互いに接触しないようにしたことを特徴とする請求項１ないし５のいずれかに記載のワンタッチ式可変装身具。
【請求項７】
前記第１磁石および第２磁石がネオジウム磁石からなることを特徴とする請求項１ないし６のいずれかに記載のワンタッチ式可変装身具。
【請求項８】
前記第１リング状装飾部材および前記第２リング状装飾部材を構成するリング形状が、円形、楕円形、流線形、多角形、矩形のいずれかの形状からなるようにしたことを特徴とする請求項１ないし７のいずれかに記載のワンタッチ式可変装身具。
【発明の詳細な説明】
【技術分野】
【０００１】
本発明は、着用する場所や状況、着用者の趣向に合わせて、非着用時にかぎらず着用中にもワンタッチで形態を変形させることができるペンダントやブローチ等の装身具に関する。
【背景技術】
【０００２】
装身具の装飾体部分を変形自在とすることで、装身具を着用する場面に応じて装身具の装飾体部分を任意の形態に変形させることができる身飾品が種々提案されている。
そのような先行技術としては、実開昭６２−４２４１４号公報（特許文献１参照）のような身飾品が知られており、該身飾品では、ペンダントとネックレスを兼用することができる身飾品であって、ネックレスのひも状体の一部を構成する複数の装飾単位体に磁石を内蔵させて、ペンダントとして使用する際には複数の装飾単位体を磁石を介して一体的に合体させてペンダントとして使用することができるようにしてある。
【０００３】
また、装身具の装飾体部分を付け替え可能とすることで、装身具を着用する場面に応じて装飾体部分を付け替えて着用者の任意の装飾体とすることができる身飾品も種々提案されているところである。そのような先行技術としては、特開２００３−２３５６１９号公報（特許文献２参照）のような身飾品が知られており、該身飾品では、非磁性円環状体に希土類磁石を固着した保持体と、前記希土類磁石の磁気吸引力で前記保持体の内周側に着脱自在に保持される装飾部品と、身体又は衣服に装着するために前記保持体に取り付けられた装着部材とを設けた構成であって、前記希土類磁石は非磁性円環状体の内周面に臨むよう複数個配置されている。
【先行技術文献】
【特許文献】
【０００４】
【特許文献１】実開昭６２−４２４１４号公報
【特許文献２】特開２００３−２３５６１９号公報
【発明の概要】
【発明が解決しようとする課題】
【０００５】
しかしながら、特許文献１に記載の身飾品においては、複数の装飾単位体を磁石を介して一体的に合体させる際には、隣り合う装飾単位体同士を磁石を介して手作業で吸着させていく必要があって非常に煩雑であり、身飾品の形態の変更が容易ではないという問題があった。
また、特許文献２に記載の身飾品においては、装飾部品は磁石を固着した保持体に磁石の磁気吸引力で接着保持されており、装飾部品が保持枠と独立して単独で揺動することはできず、保持枠と一体的に揺動するよりほかなく、装飾部品による装飾性の演出が乏しいという問題があった。
【０００６】
そこで本発明は、上記不具合を解消すべく発明されたものであり、磁石を用いて装身具の形態をワンタッチ式で極めて容易に変更することができるようにするとともに、装身具の形態を変更した際にも、装身具を構成する各装飾部材の磁石どうしが互いの磁気吸引力により保持可能な距離で非接触状態を維持するようにしたことでより複雑な動きを実現することができ、宝石等がよくきらめいて見える装身具を得ようとするものである。
【課題を解決するための手段】
【０００７】
すなわち本発明のワンタッチ式可変装身具は、リング形状の内周面に第１磁石を設けた第１リング状装飾部材と、前記第１リング状装飾部材の内側に収納可能であって、リング形状の外周面の前記第１磁石と対応する位置に第２磁石を設け、前記第１リング状装飾部材と回転自在に連結された第２リング状装飾部材と、前記第２リング状装飾部材の内側に収納可能であって、前記第２リング状装飾部材と揺動自在に連結された主装飾部材からなる装身具であって、展開形態においては前記第１リング状装飾部材と前記主装飾部材とが前記第２リング状装飾部材を挟んで並ぶ位置となるようにしてあり、収納形態においては前記第１磁石と前記第２磁石とが磁気吸引力により引き合うことで前記第２リング状装飾部材が前記第１リング状装飾部材の内側に収納された状態で保持されるとともに、前記主装飾部材が前記第２リング状装飾部材の内側に収納された状態で保持されるようにしたことを特徴とするものである。
【０００８】
本発明のワンタッチ式可変装身具において、前記第１リング状装飾部材はリング形状の下部に第１回転軸を設け、前記第２リング状装飾部材はリング形状の上端に前記第１回転軸に回転自在に取り付けられる第１吊環を設けるとともにリング形状の下部に第２回転軸を設け、前記主装飾部材は上端に前記第２回転軸に揺動自在に取り付けられる第２吊環を設けてあることを特徴とするものである。
【０００９】
本発明のワンタッチ式可変装身具は、外周面に第１磁石を設けた主装飾部材と、前記主装飾部材をリング形状の内側に収納可能であって、該リング形状の内周面の前記第１磁石と対応する位置に第２磁石を設け、前記主装飾部材と揺動自在に連結された第２リング状装飾部材と、前記第２リング状装飾部材をリング形状の内側に収納可能であって、前記第２リング状装飾部材と回転自在に連結された第１リング状装飾部材からなる装身具であって、展開形態においては前記第１リング状装飾部材と前記主装飾部材とが前記第２リング状装飾部材を挟んで並ぶ位置となるようにしてあり、収納形態においては前記第１磁石と前記第２磁石とが磁気吸引力により引き合うことで前記主装飾部材が前記第２リング状装飾部材の内側に収納された状態で保持されるとともに、前記第２リング状装飾部材が前記第１リング状装飾部材の内側に収納された状態で保持されるようにしたことを特徴とするものである。
【００１０】
本発明のワンタッチ式可変装身具において、前記主装飾部材は前記宝石保持枠の下端に第２吊環を設け、前記第２リング状装飾部材はリング形状の上部に前記第２吊環が揺動自在に取り付けられる第２回転軸を設けるとともにリング形状の下端に第１吊環を設け、前記第１リング状装飾部材はリング形状の上部に前記第１吊環が回転自在に取り付けられる第１回転軸を設けてあることを特徴とするものである。
【００１１】
本発明のワンタッチ式可変装身具において、前記第１磁石が１個または複数の磁石からなり、前記第２磁石が前記第１磁石と対応する位置において前記第１磁石と同数の磁石からなるようにしたことを特徴とするものである。
【００１２】
本発明のワンタッチ式可変装身具の前記収納形態において、前記第１磁石と前記第２磁石とが互いに接触しないようにしたことを特徴とするものである。
【００１３】
本発明のワンタッチ式可変装身具において、前記第１磁石および第２磁石がネオジウム磁石からなることを特徴とするものである。
【００１４】
本発明のワンタッチ式可変装身具において、前記第１リング状装飾部材および前記第２リング状装飾部材を構成するリング形状が、円形、楕円形、流線形、多角形、矩形のいずれかの形状からなるようにしたことを特徴とするものである。
【発明の効果】
【００１５】
以上説明したように本発明に係るワンタッチ式可変装身具は、リング形状の第１リング状装飾部材と、前記第１リング状装飾部材の内側に収納可能であって、前記第１リング状装飾部材と回転自在に連結された第２リング状装飾部材と、前記第２リング状装飾部材の内側に収納可能であって、前記第２リング状装飾部材と揺動自在に連結された主装飾部材からなる装身具であって、展開形態においては前記第１リング状装飾部材と前記主装飾部材とが前記第２リング状装飾部材を挟んで並ぶ位置となるようにしてあり、収納形態においては前記第２リング状装飾部材が前記第１リング状装飾部材の内側に収納された状態で保持されるとともに、前記主装飾部材が前記第２リング状装飾部材の内側に収納された状態で保持されるようにしている。
【００１６】
このような構成とすることによって、本発明に係るワンタッチ式可変装身具を展開形態から収納形態に形態を変更させる際は、本発明に係るワンタッチ式可変装身具をワンタッチで折りたたむように形態を変化させるだけで収納形態とすることができ、収納形態から展開形態に形態を変更させる際は、ワンタッチでその逆の操作をするだけで展開形態することができ、装身具の形態変更をワンタッチで行うことができるため、非着用時に限らず着用中においてもワンタッチで極めて容易に装身具の形態変更を行うことができる。
【００１７】
また、本発明に係るワンタッチ式可変装身具は、収納形態において前記第１磁石と前記第２磁石とが接触しない状態としてある。
このような構成とすることによって、収納形態における前記第１磁石と前記第２磁石が磁気吸引力により引き合う状態においては、磁石を介して保持された装飾部材どうしの動きが非接触ならではの極めて複雑で多彩なものとなり、非常にきらびやかな見た目を演出することができるのである。
【００１８】
さらに、本発明に係るワンタッチ式可変装身具は、前記第１リング状装飾部材および前記第２リング状装飾部材を構成するリング形状が、円形、楕円形、流線形、多角形、矩形のいずれかの形状からなるようにしている。
このような構成とすることによって、装身具を着用する場面を問わず、着用者の好み、着用する場面に最も適した形状の装身具を提供することができるようになった。
【図面の簡単な説明】
【００１９】
【図１】本発明のワンタッチ式可変装身具の第１実施例の展開形態を示すものであり、（ａ）は概略正面図、（ｂ）はその概略背面図である。
【図２】（ａ）はその概略右側面図、（ｂ）はその概略縦断面図である。
【図３】本発明のワンタッチ式可変装身具の第１実施例の分解状態を示す概略斜視図である。
【図４】本発明のワンタッチ式可変装身具の第１実施例の組立てた状態を示す概略斜視図である。
【図５】本発明のワンタッチ式可変装身具の第１実施例において、第２リング状装飾部材をワンタッチ式可変装身具の正面側に向かって９０度回転させた状態を示す概略縦断面図である。
【図６】その概略斜視図である。
【図７】本発明のワンタッチ式可変装身具の第１実施例の収納形態を示すものであり、第２リング状装飾部材を第１リング状装飾部材の内側に収納した状態の概略縦断面図である。
【図８】その概略斜視図である。
【図９】その概略正面図である。
【図１０】本発明の装身具の第２実施例を示すものであり、（ａ）は展開形態を示す概略正面図、（ｂ）は収納形態を示す概略正面図である。
【図１１】本発明の装身具の第３実施例を示すものであり、（ａ）は展開形態を示す概略正面図、（ｂ）は収納形態を示す概略正面図である。
【図１２】本発明の装身具の第４実施例を示すものであり、（ａ）は展開形態の概略正面図、（ｂ）は収納形態の概略正面図である。
【図１３】（ａ）は展開形態の概略右側面図、（ｂ）はその概略縦断面図である。
【図１４】本発明のワンタッチ式可変装身具の第４実施例の分解状態を示す概略斜視図である。
【図１５】本発明のワンタッチ式可変装身具の第４実施例の展開形態の概略斜視図である。
【図１６】本発明のワンタッチ式可変装身具の第４実施例において、第２リング状装飾部材をワンタッチ式可変装身具の正面側に向かって９０度回転させた状態を示す概略縦断面図である。
【図１７】本発明のワンタッチ式可変装身具の第４実施例の収納形態を示す概略縦断面図である。
【図１８】その概略斜視図である。
【発明を実施するための形態】
【００２０】
以下、本発明に係るワンタッチ式可変装身具の実施の形態を図面に基いて詳細に説明する。図１ないし図４は本発明の第１実施例の展開形態を示すものであり、図５および図６は本発明の第１実施例の展開形態から収納形態への形態変更の過程を示すものであり、図７ないし図９は本発明の第１実施例の収納形態を示すものである。
本発明に係るワンタッチ式可変装身具は、着用する場面や状況、着用者の趣向に応じて、非着用時にかぎらず着用中においても、展開形態と収納形態とを自在に、かつ、ワンタッチで極めて容易に形態を変更することができる。
【００２１】
図１ないし図９に示すように、本発明の第１実施例のワンタッチ式可変装身具１０は、本発明をペンダントに適用した実施例であり、リング形状の第１リング状装飾部材１１と、前記第１リング状装飾部材１１の内側に収納可能なリング形状の第２リング状装飾部材１２と、前記第２リング状装飾部材１２の内側に収納可能な主装飾部材１３とからなり、前記第２リング状装飾部材１２は第１リング状装飾部材１１と回転自在に連結され、前記主装飾部材１３は第２リング状装飾部材１２と揺動自在に連結されている。
【００２２】
より詳しくは、前記第１リング状装飾部材１１はリング形状をなし、該リング形状の上部の内周面１１ａに左右一対の第１磁石１１ｂを設け、リング形状の上部の外周面１１ｃにはチェーン類等を挿通可能な吊り下げ用金具１１ｄを設けてある。また、前記第１リング状装飾部材１１はリング形状の下部に第１回転軸１１ｅを設け、前記第２リング状装飾部材１２が前記第１回転軸１１ｅを介して回転自在に取り付けられている。
なお、前記第１リング状装飾部材１１には、本実施例のワンタッチ式可変装身具１０の正面側において適宜複数の宝石１１ｆを配設してある。
【００２３】
前記第２リング状装飾部材１２は、前記第１リング状装飾部材１１の内側に収納可能なリング形状をなし、該リング形状の上部の外周面１２ａには前記左右一対の第１磁石１１ｂと対応する位置に左右一対の第２磁石１２ｂを設け、リング形状の上端に設けた第１吊環１２ｃが前記第１リング状装飾部材１１の下部に設けた前記第１回転軸１１ｅに回転自在に取り付けられている。また、前記第２リング状装飾部材１２はリング形状の下部に第２回転軸１２ｄを設け、前記主装飾部材１３が前記第２回転軸１２ｄを介して揺動自在に取り付けられている。
【００２４】
なお、前記第１吊環１２ｃの内径を前記第１回転軸１１ｅの軸径と略同径としてあるので、前記第２リング状装飾部材１２は前記第１回転軸１１ｅにより得られる回転運動以外の揺動を抑制されるようにしてある。
このようにすることで、前記第２リング状装飾部材１２が前記第１リング状装飾部材１１の内側に収納される収納形態において、第１リング状装飾部材１１の内周面と第２リング状装飾部材１２の外周面とが接触しないようにすることができるのである。
【００２５】
前記主装飾部材１３は、前記第２リング状装飾部材１２の内側に収納可能な宝石１３ａと該宝石１３ａを保持する宝石保持枠１３ｂとで構成され、該宝石保持枠１３ｂの上端に設けた第２吊環１３ｃが前記第２リング状装飾部材１２の下部に設けた前記第２回転軸１２ｄに揺動自在に取り付けられている。
すなわち、前記第２吊環１３ｃの内径を前記第２回転軸１２ｄの軸径よりも大きい径としてあるので、前記主装飾部材１３は前記第２回転軸１２ｄにより得られる回転運動とともに、該回転運動以外の揺動をも得ることができるようにしてある。
このようにすることで、前記主装飾部材１３がより複雑に動くことで非常にきらびやかな見た目の演出をすることができるのである。
【００２６】
なお、図７ないし図９に示すとおり、前記第２リング状装飾部材１２を前記第１リング状装飾部材１１の内側に収納した際には、前記第１リング状装飾部材１１の内周面１１ａと前記第２リング状装飾部材１２の外周面１１ｃとの間には間隙１４が生じるようにしてある。このようにすることで、収納形態において、前記第１リング状装飾部材１１と前記第２リング状装飾部材１２が接触しないようにしてある。
【００２７】
本発明のワンタッチ式可変装身具１０を構成する前記宝石１３ａを除く各装飾部材の素材としてはともに金（Ｋ−１８等）やプラチナ、銀等が使用可能であり、前記第１磁石１１ｂおよび第２磁石１２ｂの素材としてはネオジウム磁石を好適に使用可能である。また、本実施例において前記第１磁石１１ｂは前記第１リング状部材１１の内周面１１ａの上部位置に配設してあるが、前記第１リング状装飾部材１１の内周面１１ａの領域内であれば上部位置に限られるものではなく、前記第２リング状装飾部材１２の外周面１２ａの前記第１磁石１１ｂと対応する位置に配設される第２磁石１２ｂについても同様である。
【００２８】
以下、本発明の第１実施例について、展開形態から収納形態に自在に、かつ非着用時にかぎらず着用中においても極めて容易に形態を変更することができる手順を説明する。
まず、図１、図２および図４に示すように、本発明のワンタッチ式可変装身具１０は、着用する場面や状況、着用者の趣向に応じて展開形態で着用することができる。そして、様々な状況や要請に応じて収納形態として着用する場合、または着用中において展開形態から収納形態に形態変更を行う場合には、図５ないし図６に示すように、前記ワンタッチ式可変装身具１０を折りたたむように、前記第２リング状装身具１２を、前記第１リング状装飾部材１１の下部に設けた第１回転軸１１ｅを介して回転させていく。
【００２９】
そして、図７ないし図９に示すように、前記第１リング状装飾部材１１のリング形状の内周面１１ａに設けた左右一対の第１磁石１１ｂと第２リング状装飾部材１２のリング形状の外周面１２ａに設けた左右一対の第２磁石１２ｂとが磁気吸引力により互いに引き合い、前記第２リング状装飾部材１２が前記第１リング状装飾部材１１の内側に収納された状態で保持される。
【００３０】
このとき、前記第１リング状装飾部材１１のリング形状の内周面１１ａと前記第２リング状装飾部材１２のリング形状の外周面１２ａとの間には間隙１４を設けてあり、前記第１リング状装飾部材１１のリング形状の内周面１１ａと前記第２リング状装飾部材１２のリング形状の外周面１２ａとが接触しない状態を維持するようにしてある。なお、前記間隙１４については、前記第１磁石１１ｃと前記第２磁石１２ｃとが、磁気吸引力により相互に引き合うことで、前記第２リング状装飾部材１２が第１リング状装飾部材１１の内側に収納された状態で持続的に保持することができる幅であれば良い。
【００３１】
また、前記主装飾部材１３は、前記第２リング状装飾部材１２の回転運動に伴い、前記第２リング状装飾部材１２とともに前記第１リング状装飾部材１１の内側に向かって移動していき、前記第２リング状装飾部材１２が前記第１リング状装飾部材１１の内側に収納された際には、前記第２リング状装飾部材１２の内側に収納された状態で保持される。
このとき、前記主装飾部材１３は、前記宝石保持枠１３ｂの上端に設けた第２吊環１３ｃの内径が、前記第２リング状装飾部材１２の下部に設けた第２回転軸１２ｄの軸径よりも大きい径としてあり、第２リング状装飾部材１２の内側に保持された状態において、前記第２回転軸１２ｄにより得られる回転運動とともに、該回転運動以外の揺動をも得られることから、非常に複雑できらびやかな見た目を演出することができるようになっている。
【００３２】
このように、本発明の第１実施例におけるワンタッチ式可変装身具１０は、単にワンタッチ式可変装身具１０を折りたたむようにワンタッチで操作することで展開形態から収納形態へと形態を変更することができるようになっているのである。
もちろん、前記ワンタッチ式可変装身具１０を収納形態から展開形態への形態変更も、単に前記第１磁石１１ｂと前記第２磁石１２ｂを引き離すようにワンタッチ式可変装身具１０をワンタッチで操作することで形態変更を行うことができるのである。
したがって、着用者は、非着用時にかぎらず着用中においても即座にかつワンタッチで極めて容易に形態変更を行うことができるのである。
【００３３】
次に、本発明の第２実施例を、図１０（ａ），（ｂ）を用いて詳細に説明する。
図１０において、本発明の第２実施例のワンタッチ式可変装身具２０は、リング形状であって略円形の第１リング状装飾部材２１と、前記第１リング状装飾部材２１の内側に収納可能なリング形状であって略円形の第２リング状装飾部材２２と、前記第２リング状装飾部材２２の内側に収納可能な主装飾部材２３とからなり、前記第２リング状装飾部材２２は第１リング状装飾部材２１に回転自在に連結され、前記主装飾部材２３は第２リング状装飾部材２２に揺動自在に連結されている。
【００３４】
より詳しくは、前記第１リング状装飾部材２１はリング形状であって略円形をなし、該リング形状の上部の内周面２１ａに左右一対の第１磁石２１ｂを設け、リング形状の上部の外周面２１ｃにはチェーン類等を挿通可能な吊り下げ用金具２１ｄを設けてある。また、前記第１リング状装飾部材２１はリング形状の下部に第１回転軸２１ｅを設け、前記第２リング状装飾部材２２が前記第１回転軸２１ｅを介して回転自在に取り付けられている。
なお、前記第１リング状装飾部材２１には、本実施例のワンタッチ式可変装身具２０の正面側において適宜複数の宝石２１ｆを配設してある。
【００３５】
前記第２リング状装飾部材２２は、前記第１リング状装飾部材２１の内側に収納可能なリング形状であって略円形をなし、該リング形状の上部の外周面２２ａには前記左右一対の第１磁石２１ｂと対応する位置に左右一対の第２磁石２２ｂを設け、リング形状の上端に設けた第１吊環２２ｃが前記第１リング状装飾部材２１の下部に設けた前記第１回転軸２１ｅに回転自在に取り付けられている。また、前記第２リング状装飾部材２２のリング形状の下部には第２回転軸２２ｄを設け、前記主装飾部材２３が前記第２回転軸２２ｄを介して揺動自在に取り付けられている。
【００３６】
なお、前記第１吊環２２ｃの内径を前記第１回転軸２１ｅの軸径と略同径としてあるので、前記第２リング状装飾部材２２は第１回転軸２１ｅにより得られる回転運動以外の揺動を抑制されるようにしてある。
このようにすることで、前記第２リング状装飾部材２２が前記第１リング状装飾部材２１の内側に収納された収納形態において、第１リング状装飾部材２１のリング形状の内周面２１ａと第２リング状装飾部材２２のリング形状の外周面２２ａとが接触しないようにすることができるのである。
【００３７】
前記主装飾部材２３は、前記第２リング状装飾部材２２の内側に収納可能な宝石２３ａと該宝石２３ａを保持する宝石保持枠２３ｂとで構成され、該宝石保持枠２３ｂの上端に設けた第２吊環２３ｃが前記第２リング状装飾部材２２の下部に設けた前記第２回転軸２２ｄに揺動自在に取り付けられている。
すなわち、前記第２吊環２３ｃの内径を前記第２回転軸２２ｄの軸径よりも大きい径としてあるので、前記主装飾部材２３は前記第２回転軸２２ｄにより得られる回転運動とともに、該回転運動以外の揺動をも得ることができるので、前記主装飾部材２３がより複雑に動くことできらびやかな見た目の演出をすることができるのである。
【００３８】
なお、図１０（ｂ）に示すとおり、前記第２リング状装飾部材２２を前記第１リング状装飾部材２１の内側に収納した際には、前記第１リング状装飾部材２１のリング形状の内周面２１ａと前記第２リング状装飾部材２２のリング形状の外周面２２ａとの間には間隙２４が生じるようにしてある。このようにすることで、収納形態において、前記第１リング状装飾部材２１と前記第２リング状装飾部材２２が接触しないようにしてある。
本発明の第２実施例のワンタッチ式可変装身具２０の展開形態と収納形態の形態変更手順は、上述の第１実施例と同様であるため説明を省略する。
【００３９】
次に、本発明の第３実施例を、図１１（ａ），（ｂ）を用いて詳細に説明する。
図１１（ａ），（ｂ）において、本発明の第３実施例のワンタッチ式可変装身具３０は、リング形状であって略四角形の第１リング状装飾部材３１と、前記第１リング状装飾部材３１の内側に収納可能なリング形状であって略四角形の第２リング状装飾部材３２と、前記第２リング状装飾部材３２の内側に収納可能な主装飾部材３３とからなり、前記第２リング状装飾部材３２は第１リング状装飾部材３１に回転自在に連結され、前記主装飾部材３３は第２リング状装飾部材３２に揺動自在に連結されている。
【００４０】
より詳しくは、前記第１リング状装飾部材３１はリング形状であって略四角形をなし、該リング形状の上部の内周面３１ａに左右一対の第１磁石３１ｂを設け、リング形状の上部の外周面３１ｃにはチェーン類等を挿通可能な吊り下げ用金具３１ｄを設けてある。また、前記第１リング状装飾部材３１はリング形状の下部に第１回転軸３１ｅを設け、前記第２リング状装飾部材３２が前記第１回転軸３１ｅを介して回転自在に取り付けられている。
なお、前記第１リング状装飾部材３１には、本実施例のワンタッチ式可変装身具３０の正面側において適宜複数の宝石３１ｆを配設してある。
【００４１】
前記第２リング状装飾部材３２は、前記第１リング状装飾部材３１の内側に収納可能なリング形状であって略四角形をなし、該リング形状の上部の外周面３２ａには前記左右一対の第１磁石３１ｂと対応する位置に左右一対の第２磁石３２ｂを設け、リング形状の上端に設けた第１吊環３２ｃが前記第１リング状装飾部材３１の下部に設けた前記第１回転軸３１ｅに回転自在に取り付けられている。また、前記第２リング状装飾部材３２のリング形状の下部には第２回転軸３２ｄを設け、前記主装飾部材３３が前記第２回転軸３２ｄを介して揺動自在に取り付けられている。
【００４２】
なお、前記第１吊環３２ｃの内径を前記第１回転軸３１ｅの軸径と略同径としてあるので、前記第２リング状装飾部材３２は前記第１回転軸３１ｅにより得られる回転運動以外の揺動を抑制されるようにしてある。
このようにすることで、前記第２リング状装飾部材３２が前記第１リング状装飾部材３１の内側に収納された収納形態において、第１リング状装飾部材３１のリング形状の内周面３１ａと第２リング状装飾部材３２のリング形状の外周面３２ａとが接触しないようにすることができるのである。
【００４３】
前記主装飾部材３３は、前記第２リング状装飾部材３２の内側に収納可能な宝石３３ａと該宝石３３ａを保持する宝石保持枠３３ｂとで構成され、該宝石保持枠３３ｂの上端に設けた第２吊環３３ｃが前記第２リング状装飾部材３２の下部に設けた前記第２回転軸３２ｄに揺動自在に取り付けられている。
すなわち、前記第２吊環３３ｃの内径を前記第２回転軸３２ｄの軸径よりも大きい径としてあるので、前記主装飾部材３３は前記第２回転軸３２ｄにより得られる回転運動とともに、該回転運動以外の揺動をも得ることができるので、前記主装飾部材３３がより複雑に動くことできらびやかな見た目の演出をすることができるのである。
【００４４】
なお、図１１（ｂ）に示すとおり、前記第２リング状装飾部材３２を前記第１リング状装飾部材３１の内側に収納した際には、前記第１リング状装飾部材３１のリング形状の内周面３１ａと前記第２リング状装飾部材３２のリング形状の外周面３２ａとの間には間隙３４が生じるようにしてある。このようにすることで、収納形態において、前記第１リング状装飾部材３１と前記第２リング状装飾部材３２が接触しないようにしてある。
本発明の第３実施例のワンタッチ式可変装身具３０の展開形態と収納形態の形態変更手順は、上述の第１実施例と同様であるため説明を省略する。
【００４５】
次に、本発明の第４実施例のワンタッチ式可変装身具４０について、図面に基づき詳細に説明する。
本発明の第４実施例のワンタッチ式可変装身具４０は、本発明をピアスに適用した場合の実施例であり、図１２ないし図１８に示すように、主装飾部材４３と、前記主装飾部材４３をリング形状の内側に収納可能な第２リング状装飾部材４２と、前記第２リング状装飾部材４２をリング形状の内側に収納可能な第１リング状装飾部材４１とからなり、前記主装飾部材４３は第２リング状装飾部材１２と揺動自在に連結され、前記第２リング状装飾部材４２は第１リング状装飾部材４１と回転自在に連結されている。
【００４６】
より詳しくは、前記主装飾部材４３は、前記第２リング状装飾部材４２の内側に収納可能な宝石４３ａと該宝石４３ａを保持する宝石保持枠４３ｂとで構成され、該宝石保持枠４３ｂの外周面４３ｃの下部に左右一対の第１磁石４３ｄを設け、該宝石保持枠４３ｂの背面にピアス用ピン４３ｅを設けてある。また、前記主装飾部材４３は前記宝石保持枠４３ｂの下端に設けた第２吊環４３ｆが前記第２リング状装飾部材４２の上部に設けた前記第２回転軸４２ｄに取り付けられている。
このとき、前記第２吊環４３ｆの内径を前記第２回転軸４２ｄの軸径よりも大きくしてあるので、前記第２リング状装飾部材４２は前記第２回転軸４２ｄにより得られる回転運動とともに、該回転運動以外の揺動をも得ることができるのである。
【００４７】
前記第２リング状装飾部材４２は、前記主装飾部材４３を内側に収納可能なリング形状をなし、該リング形状の上部の内周面４２ａには前記第１磁石４３ｄと対応する位置に左右一対の第２磁石４２ｂを設け、リング形状の上部には第２回転軸４２ｄを設けてあり、該第２回転軸４２ｄには前記第２吊環４３ｆが揺動自在に取り付けられている。また、リング形状の下端に設けた第１吊環４２ｃが前記第１リング状装飾部材４１の上部に設けた第１回転軸４１ａに回転自在に取り付けられている。
【００４８】
前記第１リング状装飾部材４１は前記第２リング状装飾部材４２を内側に収納可能なリング形状をなし、該リング形状の上部に前記第１回転軸４１ａを設け、前記第２リング状装飾部材４２が前記第１回転軸４１ａを介して回転自在に取り付けられている。
また、前記第１リング状装飾部材４１には、ワンタッチ式可変装身具４０の正面側において適宜複数の宝石４１ｂを配してある。
【００４９】
なお、前記第１吊環４２ｃの内径を前記第１回転軸４１ａの軸径と略同径としてあるので、前記第１リング状装飾部材４１は第１回転軸４１ａにより得られる回転運動以外の揺動を抑制されるようにしてある。
このようにすることで、前記第２リング状装飾部材４２が前記第１リング状装飾部材４１の内側に収納される収納形態において、第１リング状装飾部材４１と第２リング状装飾部材４２とが接触しないようにすることができるのである。
【００５０】
また、図１７ないし図１９に示すとおり、前記主装飾部材４３を前記第２リング状装飾部材４２の内側に収納した際には、前記主装飾部材４３の宝石保持枠４３ｂの外周面４３ｃと前記第２リング状装飾部材４２のリング形状の内周面４２ａとの間には間隙４４が生じるようにしてある。このようにすることで、収納形態において、前記第２リング状装飾部材４２が揺動したとしても、前記主装飾部材４３と前記第２リング状装飾部材４２とが互いに接触しないようにしてある。
したがって、前記主装飾部材４３と前記第２リング状装飾部材４２とは揺動自在かつ非接触の複合的な状態で連結されており、極めて複雑にかつ多様に動くことできらびやかな見た目の演出をすることができるのである。
【００５１】
本発明のワンタッチ式可変装身具４０を構成する宝石を除く各装飾部材の素材としてはともに金（Ｋ−１８等）やプラチナ、銀等が使用可能であり、前記第１磁石４３ｄおよび第２磁石４２ｂの素材としてはネオジウム磁石を好適に使用可能である。また、本実施例において前記第１磁石４３ｄは前記主装飾部材４３の宝石保持枠４３ｂの外周面４３ｃの上部位置に配設してあるが、前記主装飾部材４３の宝石保持枠４３ｂの外周面４３ａの領域内であれば上部位置に限られるものではなく、前記第２リング状装飾部材４２のリング形状の内周面４２ａの前記第１磁石４３ｄと対応する位置に配設される第２磁石４２ｂについても同様である。
【００５２】
以下、本発明の第４実施例について、展開形態から収納形態に自在に、かつ、非着用時にかぎらず着用中において極めて容易に形態を変更することができる手順を説明する。
まず、図１２、図１３および図１５に示すように、本発明のワンタッチ式可変装身具４０は、着用する場面や状況、着用者の趣向に応じて展開形態で着用することができる。そして、様々な状況や要請に応じて収納形態として着用する場合、または着用中において展開形態から収納形態に形態変更を行う場合には、図１５ないし図１６に示すように、前記ワンタッチ式可変装身具４０を折りたたむように、前記第２リング状装身具４２を前記第２リング状装飾部材４２の上部に設けた第２回転軸４２ｄを介して回転させていく。
【００５３】
そして、図１７および図１８に示すように、前記主装飾部材４３の宝石保持枠４３ｂの外周面４３ｃに設けた左右一対の第１磁石４３ｄと第２リング状装飾部材４２のリング形状の内周面４２ａに設けた左右一対の第２磁石４２ｂとが磁気吸引力により互いに引き合い、前記主装飾部材４３が前記第２リング状装飾部材４２の内側に収納された状態で保持される。
【００５４】
このとき、前記主装飾部材４３の宝石保持枠４３ｂの外周面４３ｃと前記第２リング状装飾部材４２のリング形状の内周面４２ａとの間には間隙４４を設けてあり、収納形態において前記主装飾部材４３と前記第２リング状装飾部材４２とが接触しない状態を維持するようにしてある。なお、前記間隙４４については、前記主装飾部材４３の宝石保持枠４３ｂの外周面４３ｃに設けた左右一対の第１磁石４３ｄと前記第２リング状装飾部材４２のリング形状の内周面４２ａに設けた左右一対の第２磁石４２ｂとが、磁気吸引力により相互に引き合うことで、第２リング状装飾部材４２の内側に主装飾部材４３を収納した状態で持続的に保持することができる幅を設けてあれば良い。
【００５５】
また、前記第１リング状装飾部材４１は、前記第２リング状装飾部材４２の回転運動に伴い、前記第２リング状装飾部材４２とともに前記主装飾部材４３に向かって移動していき、前記主装飾部材４３が第２リング状装飾部材４２の内側に収納された際には、前記第１リング状装飾部材４１の内側に第２リング状装飾部材４２が収納された状態で保持される。
【００５６】
このように、本発明の第４実施例におけるワンタッチ式可変装身具４０は、単にワンタッチ式可変装身具４０を折りたたむようにワンタッチで操作することで展開形態から収納形態へと形態を変更することができるようになっているのである。
もちろん、前記ワンタッチ式可変装身具４０を収納形態から展開形態に形態変更することも、単に前記第１磁石４３ｄと前記第２磁石４２ｂを引き離すようにワンタッチ式可変装身具４０をワンタッチで操作することで行うことができるのである。
したがって、着用者は、非着用時にかぎらず着用中においても即座にかつワンタッチで極めて容易に形態変更を行うことができるのである。
【００５７】
本発明により奏する作用効果は、次のとおりである。
ａ）装身具の形態のうち、収納形態を実現する手段として磁石を用いているので、物理的に強い力を要さず、着用者を問わず、着用中と非着用時をも問わず、着用する状況に応じて、だれでもいつでもワンタッチで容易に形態変更を行うことができる。
ｂ）装身具の形態のうち、収納形態を実現する手段として磁石を用いるに際して、磁気吸引力で相互に引き合う磁石どうしが互いに接触しないようにしてあるので、磁石による保持状態を実現することも、磁石による保持状態を解除することも、物理的に強い力を要さず、だれでもいつでもワンタッチで容易に形態変更を行うことができる。
ｃ）装身具の形態のうち、収納形態を実現する手段として磁石を用いるに際して、磁気吸引力で相互に引き合う磁石どうしが互いに接触しないようにしてあるので、装身具を構成する部材の一部が装身具の動きに追随する動き以外の細やかな揺動も得ることができ、見た目に非常にきらびやかな演出を行うことができる。
ｄ）装身具の形態変更がワンタッチでかつ極めて容易であるため、着用者を問わず、着用する場所や状況、着用者の趣向に応じて、非着用時にかぎらず着用中においても、装身具の形態を適宜変更することができるのである。
【産業上の利用可能性】
【００５８】
なお、本発明に係るワンタッチ式可変装身具は特定の製品に限定されるものではなく、ブレスレットやブローチ、イヤリングその他の装身具に適用できることは勿論である。
なお、実施例では宝石としてダイヤモンドを示したが、ダイヤモンドに限定されないことは勿論である。
【符号の説明】
【００５９】
１０  ワンタッチ式可変装身具
１１  第１リング状装飾部材
１１ａ  内周面
１１ｂ  左右一対の第１磁石
１１ｃ  外周面
１１ｄ  吊り下げ用金具
１１ｅ  第１回転軸
１１ｆ  宝石
１２  第２リング状装飾部材
１２ａ  外周面
１２ｂ  左右一対の第２磁石
１２ｃ  第１吊環
１２ｄ  第２回転軸
１３  主装飾部材
１３ａ  宝石
１３ｂ  宝石保持枠
１３ｃ  第２吊環
１４  間隙
２０  ワンタッチ式可変装身具
２１  第１リング状装飾部材
２１ａ  内周面
２１ｂ  左右一対の第１磁石
２１ｃ  外周面
２１ｄ  吊り下げ用金具
２１ｅ  第１回転軸
２１ｆ  宝石
２２  第２リング状装飾部材
２２ａ  外周面
２２ｂ  左右一対の第２磁石
２２ｃ  第１吊環
２２ｄ  第２回転軸
２３  主装飾部材
２３ａ  宝石
２３ｂ  宝石保持枠
２３ｃ  第２吊環
２４  間隙
３０  ワンタッチ式可変装身具
３１  第１リング状装飾部材
３１ａ  内周面
３１ｂ  左右一対の第１磁石
３１ｃ  外周面
３１ｄ  吊り下げ用金具
３１ｅ  第１回転軸
３１ｆ  宝石
３２  第２リング状装飾部材
３２ａ  外周面
３２ｂ  左右一対の第２磁石
３２ｃ  第１吊環
３２ｄ  第２回転軸
３３  主装飾部材
３３ａ  宝石
３３ｂ  宝石保持枠
３３ｃ  第２吊環
３４  間隙
４０  ワンタッチ式可変装身具
４１  第１リング状装飾部材
４１ａ  第１回転軸
４１ｂ  宝石
４２  第２リング状装飾部材
４２ａ  内周面
４２ｂ  左右一対の第２磁石
４２ｃ  第１吊環
４２ｄ  第２回転軸
４３  主装飾部材
４３ａ  宝石
４３ｂ  宝石保持枠
４３ｃ  外周面
４３ｄ  左右一対の第１磁石
４３ｅ  ピアス用ピン
４３ｆ  第２吊環
４４  間隙
【要約】      （修正有）【課題】磁石を用いて装身具の形態を容易に変更することができるようにするとともに、装身具を構成する各装飾部材の磁石どうしが互いの磁気吸引力により保持可能な距離で非接触状態を維持することで、宝石等がよくきらめいて見える装身具を提供する。【解決手段】展開形態では、第１リング状装飾部材１１と、該第１リング状装飾部材１１に回転自在に取り付けられた第２リング状装飾部材１２と、該第２リング状装飾部材１２に揺動自在に取り付けられた主装飾部材１３とからなり、収納形態では、該第１リング状装飾部材１１の磁石１１ｂと第２リング状装飾部材１２の磁石１２ｂとが互いに非接触の状態で引き合うことで第２リング状装飾部材１２が第１リング状装飾部材１１の内側に収納された状態で保持されるとともに、主装飾部材１３が該第２リング状装飾部材１２の内側に揺動自在に収納された状態で保持されるワンタッチ式可変装身具。【選択図】図４【図１】
0006695484.tif 000002
【図２】
0006695484.tif 000003
【図３】
0006695484.tif 000004
【図４】
0006695484.tif 000005
【図５】
0006695484.tif 000006
【図６】
0006695484.tif 000007
【図７】
0006695484.tif 000008
【図８】
0006695484.tif 000009
【図９】
0006695484.tif 000010
【図１０】
0006695484.tif 000011
【図１１】
0006695484.tif 000012
【図１２】
0006695484.tif 000013
【図１３】
0006695484.tif 000014
【図１４】
0006695484.tif 000015
【図１５】
0006695484.tif 000016
【図１６】
0006695484.tif 000017
【図１７】
0006695484.tif 000018
【図１８】
0006695484.tif 000019